(57)【特許請求の範囲】
【請求項１】
ベース部材に設けた上部ガイド部と下部ガイド部によって夫々上部と下部をガイドされつつ略水平方向へ移動する少なくとも一つの開閉部材と、前記下部ガイド部に沿って設けられて前記開閉部材の下部を略水平方向へ駆動する駆動機構と、を備えた可動盤面部品を有した遊技機であって、
前記上部ガイド部は、水平方向へ延びる金属板材から構成されており、該金属板材は、縦板部と、該縦板部の下端部から前方に水平に延びる庇片と、該庇片の先端縁から下方へ屈曲する垂下片とを有し、
前記金属板材の縦板部は、前記ベース部材の略垂直な基片に対して螺子により締結固定されており、該基片の下端部から水平片と垂下片が順次Ｌ字状に突設されており、
前記金属板材の庇片はその下面の一部を前記ベース部材の水平片により支持されており、前記金属板材の垂下片は前記ベース部材の垂下片との間にギャップを形成し、
前記開閉部材の上端に設けた被ガイドレールを前記ギャップ内に嵌合し、該被ガイドレールを前記金属板材の垂下片と前記ベース部材の垂下片との間で挟圧しつつスライド自在に支持し、
前記駆動機構は、前記開閉部材の下部に水平に固定されたラックギヤ部材をピニオンギヤにより駆動することにより水平方向へ進退させる構成を備え、
前記下部ガイド部は、水平方向へ延びる断面形状が非円形のガイドレールを備え、
前記ラックギヤ部材は、前記ガイドレールの外面と整合して前後方向への相対的回動を阻止されつつ軸方向へ滑動する内面形状を有した被ガイド凹所を備えており、
前記ガイドレール、或いは前記被ガイド凹所内壁の何れか一方に、断面形状が湾曲したガイド突起を設け、該ガイド突起の頂部を前記被ガイド凹所内壁、或いは前記ガイドレールと摺接させたことを特徴とする遊技機。
【請求項２】
前記開閉部材の下部に形成した水平に延びる長穴内に前記ラックギヤ部材に突設した横長の突片を嵌合させた状態で、前記開閉部材と前記ラックギヤ部材とを螺子止め固定したことを特徴とする請求項１に記載の遊技機。
【発明の詳細な説明】
【技術分野】
【０００１】
本発明は、例えば遊技盤上の液晶画面を開閉する扉等の開閉部材を備えた遊技機において、開閉部材の上部を支持する樹脂製上ガイドレールの脆性に起因して発生する開閉部材の前後方向、左右方向へのがたつきを防止することができる可動盤面部品を備えた遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１には、遊技盤面上に設けた液晶表示装置の表示面を開閉する障子や扉の開閉部材を盤面と略平行な方向へ開閉、出没動作させることによって遊技進行上特徴的な演出効果を発揮させるようにした可動盤面部品が提案されている。
【０００３】
図１７（ａ）及び（ｂ）は２枚の開閉部材１００、１０５を水平方向へ開閉動作させるための駆動機構１１０の側部縦断面図であり、（ａ）はがたつきが発生していない正常時の状態であり、（ｂ）はがたつきが発生している異常時の状態を示している。
駆動機構１１０としては、ラックアンドピニオン機構が使用されることが多く、紙面と直交する方向へ開閉動作する各開閉部材１００、１０５の下部に夫々水平方向に延びるように固定した樹脂製ラックギヤ１１１、１１５に対して樹脂製ピニオンギヤ１２０を噛合させておき、図示しないモータからの駆動力によってピニオンギヤ１２０を回転させることにより開閉部材１００、１０５を水平方向へ進退させる。このタイプの駆動機構においては、各１１１、１１５ラックギヤは遊技機本体側に水平に支持された丸棒状の金属シャフト１１２、１１６により水平方向へガイドされている。即ち、各ラックギヤ１１１、１１５の内部には軸方向へ貫通する円筒状の丸穴（凹所）１１１ａ、１１５ａが形成されており、各丸穴１１１ａ、１１５ａ内に丸棒状の金属シャフト１１２、１１６を挿通した構成となっている。
【０００４】
しかし、このように丸棒状の金属シャフトによって開閉部材下部に設けたラックギヤに形成した円筒状の丸穴を軸方向へ進退自在に支持しただけの構造であると、開閉部材の上部をガイドレールによって水平方向へ滑動自在に支持したとしても、開閉部材上部と上部ガイドレールとのガタ、寸法誤差等に起因して開閉部材上部が金属シャフトを中心として前後へ揺動するがたつきが発生し易くなる（図１７（ｂ）参照）。
また、開閉部材の下部とラックギヤとの固定方法は、図１７中に示すように螺子１２５による単純な螺子止め構造となっているに過ぎないため、耐久性が十分でなく、経年的に螺子止め部が弛みを起こして開閉部材とラックギヤとががたつきを起こしやすくなり、最悪の場合には破損することとなる。
更に、開閉部材１００、１０５の上辺をガイドする上ガイドレール１２０として、ベース部１３０に螺子１２１により固定した樹脂板１２２を使用し、樹脂板１２２とベース部１３０との間で、各開閉部材１００、１０５の上辺から突設された被ガイド片１００ａ、１０５ａをガイドしていたに過ぎなかった。
【０００５】
このため、開閉部材の下部のがたつき、金属シャフト１１２、１１６を中心とした前後方向への揺動に起因して、樹脂板１２２が（ｂ）のように前後方向へ変形を起こし、開閉部材のがたつきや前後動を抑えきれなくなるという事態が発生している。仮に、開閉部材の下部にがたつき、前後動の要因となる欠陥が存在しないとしても、上ガイドレール１２０自体にがたつきが発生し易い結果として、スムーズな開閉動作が阻害される虞があった。
このように従来の上ガイドレールは樹脂製の板材であり剛性が低いため耐久性に問題があり、開閉部材の開閉時に加わる応力によって捻れ等の変形や振れを起こしやすく、水平な姿勢を維持できなかった。このため、開閉部材の開閉動作に前後、左右へのがたつきや開閉不良が発生することがあり、遊技者に見苦しい印象を与えたり、故障を起こす原因となっていた。
更に、樹脂板１２２と被ガイド片１００ａ、１０５ａとの間は面接触であるため摺動抵抗が大きく、スムーズな開閉動作を妨げる要因となっていた。
【先行技術文献】
【特許文献】
【０００６】
【特許文献１】特願２００８−１８８６３２公報
【発明の概要】
【発明が解決しようとする課題】
【０００７】
以上のように、遊技盤面と並行に水平移動して液晶表示装置等を開閉する開閉部材の上部を樹脂製の上ガイドレールにより支持していたので、強度、耐久性の点で問題があり、上ガイドレールの変形や振れにより、開閉部材を所定の姿勢により安定して進退させることが難しくなり、遊技進行上の円滑さを低下させたり、故障を発生させる原因となっていた。
本発明は上記に鑑みてなされたものであり、遊技盤面と並行に水平移動して液晶表示装置等を開閉する開閉部材の上部をスライド自在に支持する上ガイドレールを補強して開閉部材の走行を安定させることができる可動盤面部品を備えた遊技機を提供することを目的としている。
【課題を解決するための手段】
【０００８】
上記目的を達成するため、請求項１の発明に係る遊技機は、ベース部材に設けた上部ガイド部と下部ガイド部によって夫々上部と下部をガイドされつつ略水平方向へ移動する少なくとも一つの開閉部材と、前記下部ガイド部に沿って設けられて前記開閉部材の下部を略水平方向へ駆動する駆動機構と、を備えた可動盤面部品を有した遊技機であって、前記上部ガイド部は、水平方向へ延びる金属板材から構成されており、該金属板材は、縦板部と、該縦板部の下端部から前方に水平に延びる庇片と、該庇片の先端縁から下方へ屈曲する垂下片とを有し、前記金属板材の縦板部は、前記ベース部材の略垂直な基片に対して螺子により締結固定されており、該基片の下端部から水平片と垂下片が順次Ｌ字状に突設されており、前記金属板材の庇片はその下面の一部を前記ベース部材の水平片により支持されており、前記金属板材の垂下片は前記ベース部材の垂下片との間にギャップを形成し、前記開閉部材の上端に設けた被ガイドレールを前記ギャップ内に嵌合し、該被ガイドレールを前記金属板材の垂下片と前記ベース部材の垂下片との間で挟圧しつつスライド自在に支持し、前記駆動機構は、前記開閉部材の下部に水平に固定されたラックギヤ部材をピニオンギヤにより駆動することにより水平方向へ進退させる構成を備え、前記下部ガイド部は、水平方向へ延びる断面形状が非円形のガイドレールを備え、前記ラックギヤ部材は、前記ガイドレールの外面と整合して前後方向への相対的回動を阻止されつつ軸方向へ滑動する内面形状を有した被ガイド凹所を備えており、前記ガイドレール、或いは前記被ガイド凹所内壁の何れか一方に、断面形状が湾曲したガイド突起を設け、該ガイド突起の頂部を前記被ガイド凹所内壁、或いは前記ガイドレールと摺接させたことを特徴とする。
ベース部材により一部を固定された金属板材とベース部材との間で開閉部材の被ガイドレールを保持するようにしたので、遊技盤面と並行に水平移動して液晶表示装置等を開閉する開閉部材の走行を安定させることができる。
断面形状が非円形のガイドレールによって開閉部材下部を前後方向へ揺動不能に支持したので、開閉部材の前後方向への揺動を抑制することができ、上部ガイド部における金属板材による抑え力との協働により更に開閉部材のがたつきを効果的に防止することが可能となる。
ガイド突起の頂部との接触部が線接触となり、接触抵抗を大幅に抵抗できるので、移動がスムーズになる。
【００１０】
請求項２の発明は、前記開閉部材の下部に形成した水平に延びる長穴内に前記ラックギヤ部材に突設した横長の突片を嵌合させた状態で、前記開閉部材と前記ラックギヤ部材とを螺子止め固定したことを特徴とする。
従来はラックギヤ部材と開閉部材下部とを単なる螺子止めにより固定していたため、当該固定部の強度が十分でなかったが、本発明ではそのような不具合を解消できる。
【発明の効果】
【００１１】
本発明によれば、断面略Ｌ字状の金属板材とベースとの間で開閉部材の上部ガイドレールを保持するようにしたので、遊技盤面と並行に水平移動して液晶表示装置等を開閉する開閉部材の上部をスライド自在に支持する上部ガイド部を補強して開閉部材の走行を安定させることができる。
【図面の簡単な説明】
【００１２】
【図１】本発明に係る可動盤面部品を搭載したパチンコ遊技機の正面図である。
【図２】本発明の一実施形態に係る可動盤面部品の正面図である。
【図３】本発明の一実施形態に係る可動盤面部品の背面図である。
【図４】本発明の可動盤面部品の正面側斜視図である。
【図５】本発明の可動盤面部品の背面側斜視図である。
【図６】この可動盤面部品の分解斜視図である。
【図７】上部ガイド部の外観斜視図である。
【図８】上部ガイド部の要部拡大図である。
【図９】（ａ）及び（ｂ）は上部ガイド部を含む開閉部材の正面図、及び側部縦断面図である。
【図１０】（ａ）及び（ｂ）は上部ガイド部の拡大断面図、及びその横断面図である。
【図１１】可動盤面部品の要部構成を示す斜視図である。
【図１２】各ラックギヤ部材と各ガイドレールを示す正面側分解斜視図である。
【図１３】各ラックギヤ部材と各ガイドレールを示す背面側分解斜視図である。
【図１４】可動盤面部品の要部構成を示す側部縦断面図である。
【図１５】（ａ）及び（ｂ）はガイドレールとラックギヤ部との連結部の構成を示す拡大断面図である。
【図１６】（ａ）及（ｂ）は本発明による開閉部材の支持構造と従来例との比較図である。
【図１７】２枚の開閉部材を水平方向へ開閉動作させるための駆動機構の側部縦断面図であり、（ａ）はがたつきが発生していない正常時の状態であり、（ｂ）はがたつきが発生している異常時の状態を示した図である。
【発明を実施するための形態】
【００１３】
以下、本発明を図面に示した実施の形態により詳細に説明する。
図１は本発明に係る可動盤面部品を搭載したパチンコ遊技機の正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。本例では、図柄表示装置６の前方に仮面を象った２枚の開閉部材５０、６０が横方向へ開閉自在に配置されている。開閉部材は本発明の特徴をなす可動盤面部品３０を構成している。
【００１４】
センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
【００１５】
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
ゲート１２を遊技球が通過したことを条件に乱数制御により普通図柄が所定態様となった場合に、可変入賞装置に設けられた電動式チューリップから成る可動片を所定時間、開成動作するように構成されている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１６】
図２及び図３は本発明の一実施形態に係る可動盤面部品の正面図、及び背面図であり、図４及び図５は本発明の可動盤面部品の正面側斜視図、及び背面側斜視図であり、図６はこの可動盤面部品の分解斜視図であり、図７は上部ガイド部の外観斜視図であり、図８は上部ガイド部の要部拡大図であり、図９（ａ）及び（ｂ）は上部ガイド部を含む開閉部材の正面図、及び側部縦断面図であり、図１０（ａ）及び（ｂ）は上部ガイド部の拡大断面図、及びその横断面図である。
更に、図１１は可動盤面部品の要部構成を示す斜視図であり、図１２は各ラックギヤ部材と各ガイドレールを示す正面側分解斜視図であり、図１３は各ラックギヤ部材と各ガイドレールを示す背面側分解斜視図であり、図１４は可動盤面部品の要部構成を示す側部縦断面図であり、図１５（ａ）及び（ｂ）はガイドレールとラックギヤ部との連結部の構成を示す拡大断面図であり、図１６（ａ）及（ｂ）は本発明による開閉部材の支持構造と従来例との比較図である。
【００１７】
可動盤面部品３０は、遊技盤１に固定されるベース部材３１と、ベース部材３１に設けた上部ガイド部（上ガイドレール）３２、及び下部ガイド部（下ガイドレール）４０によって夫々上部と下部をガイドされつつ水平方向へ移動する仮面を象った左右一対の開閉部材５０、６０と、各開閉部材５０、６０の下部に夫々水平に固定されたラックギヤ部材５１、６１と、各ラックギヤ部材５１、６１と噛合して回転することにより各ラックギヤ部材を水平方向へ進退させるピニオンギヤ７０と、ピニオンギヤを駆動するモータ７１と、を備える。本例では、開閉部材５０側のラックギヤ部材５１はその下部にラックギヤ５１ａを有し、開閉部材６０側のラックギヤ部材６１はその上部にラックギヤ６１ａを有する。
上部ガイド部（上ガイドレール）３２は、水平方向へ延びる金属板材３３から構成されており、略垂直な縦板部３３ａと、縦板部３３ａの下端部から前方に水平に延びる細幅帯状の庇片３３ｂと、庇片３３ｂの先端縁から下方へ屈曲する細幅帯状の垂下片３３ｃとからなる断面クランク状である。庇片３３ｂと垂下片３３ｃはＬ字状に連結されている。
【００１８】
金属板材３３の縦板部３３ａは、ベース部材３１の略垂直な基片３１ａに対して螺子３４により締結固定されており、更に基片３１ａの下端部からＬ字状に水平片３１ｂと垂下片３１ｃが突設されている。金属板材３３の庇片３３ｂはその下面の一部をベース部材の水平片３１ｂにより支持されており、金属板材の垂下片３３ｃはベース部材の垂下片３１ｃとの間に所定のギャップＧを保って離間配置されている。
各開閉部材５０、６０の上端面には、突条としての被ガイドレール５５、６５が略全長に渡って突出形成されており、被ガイドレール５５、６５の平坦な前面及び背面には夫々適宜のピッチで半球状の軸受部５５ａ、６５ａが突設されている。各被ガイドレール５５、６５は、金属板材の垂下片３３ｃとベース部材の垂下片３１ｃとの間に形成されるギャップＧ内に嵌合され、各軸受部５５ａ、６５ａを垂下片３３ｃの背面と、垂下片３１ｃの前面に夫々摺動的に接触している。被ガイドレール５５、６５は、軸受部５５ａ、６５ａを介してギャップＧの内壁と圧接しているため、摺動抵抗が少なくなり、円滑に水平方向へ移動することができる。このため、開閉部材の開閉動作がスムーズになり、安定する。
金属板材３３の垂下片３３ｃは、樹脂板に比して十分な剛性を有しているため、開閉部材の開閉動作中に前後方向への応力が作用した場合であっても、垂下片３１ｃとの間で被ガイドレール５５、６５を安定して保持し続けることができる。
【００１９】
次に、下部ガイド部４０は、水平方向へ延びる断面形状が非円形のガイドレール４１、４２を備えており、各ラックギヤ部材５１、６１は、夫々ガイドレール４１、４２の外面と当接して前後方向への相対的回動を阻止されつつ軸方向へ滑動する内面形状を有した被ガイド凹所５３、６３を備えている（図１４、図１５）。各ガイドレール４１、４２は、夫々の基部４１Ａ、４２Ａをベース部材３１に対して螺子止めにより固定されている。
開閉部材５０、６０を開閉動作させるための駆動機構は、ピニオンギヤ７０と、これを駆動するモータ７１と、モータからの駆動力をピニオンギヤ７０に伝達する中間ギヤ群７２と、モータを制御する図示しない制御手段と、を備えている。
各開閉部材５０、６０の下部には夫々張出し片５２、６２が下方へ向けて張り出しており、各張出し片５２、６２の下部には夫々ラックギヤ部材５１、６１が固定されている。各張出し片５２、６２と各ラックギヤ部材５１、６１との固定は単なる螺子による締結ではなく、張出し片５２、６２に形成した水平方向へ延びる長穴５２ａ、６２ａ内に、各ラックギヤ部材５１、６１から前方へ突設した横長（薄肉板状）の突片５４、６４を嵌合させた状態で、螺子７５により各張出し片５２、６２と各ラックギヤ部材５１、６１とを締結する構造である。
【００２０】
図１５はガイドレール４１と被ガイド凹所５３との係合状態を示す拡大断面図であり、ガイドレール４１は垂直に延びる基部４１Ａの先端から前方へ略クランク状に突出した構成を備えており、略長方形状の先端部を被ガイド凹所５３内に嵌合させている。被ガイド凹所５３はガイドレール４１の上下両面と近接して（摺動して）水平方向へ相対移動する２つのガイド面５３ａ、５３ｂと、ガイドレール４１の前面と摺動的に接触する断面半球（湾曲面）状のガイド突起５３ｃと、を備えている。ガイド突起５３ｃは、ガイドレール４１と並行に水平に延びる突条である。
ガイドレール４１の前面の上下端縁からは夫々前方へ向けて小突条４１ａを突設している。換言すれば、ガイドレール４１の前面に設けた凹所内にガイド突起５３ｃを嵌合させている。ガイドレール４１の背面４１ｂは下方へ突出しており、この突出した背面４１ｂはラックギヤ部材５１の一部５１ｂによってガイドされるため、被ガイド凹所５３からのガイドレール４１の離脱が防止される。また、ガイドレール４１の縦断面形状は非円形であり、その外面は非円形の内面形状を有した被ガイド凹所５３により近接状態で支持されているため、ガイドレール４１を回転軸としてラックギヤ部材５１を前後方向へ回動させることは不可能となる。このため、ラックギヤ部材５１を下部に支持した開閉部材５０がガイドレール４１を中心として前後へ回動する不具合を防止できる。図１６（ａ）は開閉部材が前後動することが阻止される状態を示しており、同図（ｂ）のようにガイドレールＧが断面円形の棒材である場合に比して開閉部材の前後動を大幅に阻止できることが分かる。
【００２１】
また、ガイドレール４１に沿ってラックギヤ部材５１が移動する過程において、ガイドレール４１の前面がラックギヤ部材と接触する部位は主としてガイド突起５３ｃの先端部であり、先端部が湾曲したガイド突起５３ｃの頂部との接触部は線接触となるため、少ない摺動抵抗によりガイドレール４１によって安定してガイドされることができる。なお、表面が湾曲したガイド突起をガイドレール４１の前面に設け、このガイド突起を被ガイド凹所の内面と摺動させるようにしてもよい。
なお、ガイドレール４１とラックギヤ部材５１との係合部の構造は、ガイドレール４２とラックギヤ部材６１との係合部の構造と同様である。
各ガイドレール４１、４２の断面形状は、図示のように略四角形であってもよいし、三角形、五角形等々の多角形、不定形であってもよい。要するに、被ガイド凹所５３、６３と係合した際に前後方向への回動を阻止しえる形状であればどのような形状であってもよい。
また、各張出し片５２、６２と各ラックギヤ部材５１、６１との固定は単なる螺子による締結ではなく、張出し片５２、６２に形成した水平方向へ延びる長穴５２ａ、６２ａ内に、各ラックギヤ部材５１、６１から前方へ突設した横長（薄肉板状）の突片５４、６４を嵌合させた状態で、螺子７５により各張出し片５２、６２と各ラックギヤ部材５１、６１とを締結する構造である。このため、開閉部材とラックギヤ部材とが螺子止め固定されているに過ぎない従来構造に比して、経年的に螺子止め部が弛みを起こして開閉部材とラックギヤとががたつきを起こしたり、破損し易くなるという不具合を解消できる。
【００２２】
以上のように本発明に係る下部ガイドレールの構造よれば、遊技盤面と並行に水平移動して液晶表示装置等を開閉する開閉部材の下部にラックギヤ部材を螺子止め固定し、このラックギヤ部材を固定側のピニオンギヤによって進退させるように構成した場合に、ラックギヤ部材がそのガイドシャフトを中心として前後揺動して開閉部材の動作、軌道を不安定化させたり、螺子止め部が経時的に緩むことを効果的に防止することができる。
下部ガイド部４０に関する上記の構造と、上部ガイド部３２に関する上記の構造を組合せて使用することにより、開閉部材の開閉動作をスムーズ化し、がたつきや前後動による振動や異音の発生を防止する効果を更に高めることができる。
本発明の可動盤面部品を遊技盤に組み込むことにより構築される遊技盤ユニットは、パチンコ遊技機、その他の遊技機に適用することができる。
【符号の説明】
【００２３】
１…遊技盤、１ａ…遊技領域、２…ガラス枠、３…皿部、４…発射レバー、５…センター部材、１０…アウト口、１１…可変入賞装置、１２…ゲート、１３…大入賞口、１４…普通入賞口、１５…風車、１６…普通図柄表示装置、３０…可動盤面部品、３１…ベース部材、３１ａ…基片、３１ｂ…水平片、３１ｃ…垂下片、３２…上部ガイド部、３３…金属板材、３３ａ…縦板部、３３ｂ…庇片、３３ｃ…垂下片、４０…下部ガイド部、４１…ガイドレール、４１ｂ…背面、４１ａ…小突条、５３ａ…ガイド面、５３ｃ…ガイド突起、５３ｃ…ガイド突起、４１Ａ、４２Ａ…基部、４１ｂ…背面、４２…ガイドレール、５０…開閉部材、５１…ラックギヤ部材、５１ａ…ラックギヤ、５１ｂ…一部、５２、６２…張出し片、５２ａ…長穴、５３、６３…被ガイド凹所、５３ｃ…ガイド突起、５４…突片、６０…開閉部材、６１…ラックギヤ部材、６１ａ…ラックギヤ、７０…ピニオンギヤ、７１…モータ、７２…中間ギヤ群、７５…螺子
【図１】
0005546307.tif 000002
【図２】
0005546307.tif 000003
【図３】
0005546307.tif 000004
【図４】
0005546307.tif 000005
【図５】
0005546307.tif 000006
【図６】
0005546307.tif 000007
【図７】
0005546307.tif 000008
【図８】
0005546307.tif 000009
【図９】
0005546307.tif 000010
【図１０】
0005546307.tif 000011
【図１１】
0005546307.tif 000012
【図１２】
0005546307.tif 000013
【図１３】
0005546307.tif 000014
【図１４】
0005546307.tif 000015
【図１５】
0005546307.tif 000016
【図１６】
0005546307.tif 000017
【図１７】
0005546307.tif 000018